(57)【要約】【課題】本発明は、フレキシブルプリント基板あるいはフラットケーブルの挿抜が容易で、かつ薄型実装が可能な電気コネクタ及びそれを用いた電子機器を提供する。【解決手段】ＦＰＣ／ＦＦＣコネクタ１０は、リードを保持するリードハウジング２１とコンタクト部を保持するコンタクトハウジング２２からなり、コンタクトハウジング２２は、リードハウジング２１の側面部に設けられた凹部２６に対して、コンタクトハウジング２２に設けられた突起部２７を嵌め込むことにより、矢印Ａ方向に回動可能に取り付けられている。そして、ＦＰＣ／ＦＦＣケーブルを挿抜する場合にはコンタクトハウジング２２を垂直位置に配し、ＦＰＣ／ＦＦＣケーブルがコンタクトハウジング２２の挿入部２５に装着されると傾斜位置へと回動させるようになっている。【選択図】　図２
2004146134.tif 000002
【特許請求の範囲】
【請求項１】
絶縁性の第１のハウジングと、
この第１のハウジングと別体に形成され、外部より接続部品が挿入される挿入部を形成し、前記第１のハウジングに対して前記挿入部が移動可能となるよう取り付けられた絶縁性の第２のハウジングと、
前記第１のハウジング内に設けられプリント基板に接続される導電性部材と、
前記第２のハウジングの前記挿入部内に設けられ前記導電性部材に電気的に接続される導電性のコンタクト部と、
を有することを特徴とする電気コネクタ。
【請求項２】
前記第２のハウジングは、前記第１のハウジングに対して前記挿入部が第１の位置とこの第１の位置とは異なる第２の位置とに移動可能となるよう取り付けられていることを特徴とする請求項１記載の電気コネクタ。
【請求項３】
前記第２のハウジングは、前記第１のハウジングに対して前記挿入部が垂直方向に位置する第１の位置と前記挿入部が傾斜した第２の位置とに移動可能となるよう取り付けられていることを特徴とする請求項１記載の電気コネクタ。
【請求項４】
前記第２のハウジングは、前記挿入部が、前記接続部品を挿入あるいは抜取る第１の位置とこの第１の位置とは異なる第２の位置との間を回動可能となるよう前記第１のハウジングに対して取り付けられていることを特徴とする請求項１記載の電気コネクタ。
【請求項５】
前記第２のハウジングを前記第１の位置に固定する固定部材を有することを特徴とする請求項１乃至請求項４のいずれか記載の電気コネクタ。
【請求項６】
前記第１のハウジングに形成された凹部と、
前記第２のハウジングに形成され、その一端部が第２のハウジングに固定され、他端部が突起部を有しており、この突起部が前記凹部にはまり込むことにより、前記第２のハウジングを前記第１の位置に固定する固定部材と、
を有することを特徴とする請求項１乃至請求項４のいずれか記載の電気コネクタ。
【請求項７】
筐体と、
この筐体内部に搭載されたプリント基板と、
絶縁性の第１のハウジングと、この第１のハウジングと別体に形成され、外部より接続部品が挿入される挿入部を形成し、前記第１のハウジングに対して前記挿入部が移動可能となるよう取り付けられた絶縁性の第２のハウジングと、前記第１のハウジング内に設けられプリント基板に接続される導電性部材と、前記第２のハウジングの前記挿入部内に設けられ前記導電性部材に電気的に接続される導電性のコンタクト部とを有する電気コネクタと、
この電気コネクタの前記挿入部に挿入され前記コンタクトに接続された接続部品を介して前記プリント基板と接続される電子部品と、
を有することを特徴とする電子機器。
【請求項８】
前記電気コネクタの第２のハウジングは、前記第１のハウジングに対して第１の位置とこの第１の位置とは異なる第２の位置とに移動可能となるよう取り付けられていることを特徴とする請求項７記載の電子機器。
【請求項９】
前記電気コネクタの第２のハウジングは、前記第１のハウジングに対して前記挿入部が垂直方向に位置する第１の位置と前記挿入部が傾斜した第２の位置とに移動可能となるよう取り付けられていることを特徴とする請求項７記載の電子機器。
【請求項１０】
前記電気コネクタの第２のハウジングは、前記挿入部が、前記接続部品を挿入あるいは抜取る第１の位置とこの第１の位置とは異なる第２の位置との間を回動可能となるよう前記第１のハウジングに対して取り付けられていることを特徴とする請求項７記載の電子機器。
【請求項１１】
前記電気コネクタは、前記第２のハウジングを前記第１の位置に固定する固定部材を有することを特徴とする請求項７乃至請求項１０のいずれか記載の電子機器。
【請求項１２】
前記電気コネクタは、
前記第１のハウジングに形成された凹部と、
前記第２のハウジングに形成され、その一端部が第２のハウジングに固定され、他端部が突起部を有しており、この突起部が前記凹部にはまり込むことにより、前記第２のハウジングを前記第１の位置に固定する固定部材と、
を有することを特徴とする請求項７乃至請求項１０のいずれか記載の電子機器。
【発明の詳細な説明】
【０００１】
【発明の属する技術分野】
本発明は、ＦＰＣ、ＦＦＣと一般に呼ばれているフレキシブルプリント基板あるいはフラットケーブルを接続するための電気コネクタ及びそれを用いた電子機器に関する。
【０００２】
【従来の技術】
従来、フレキシブルプリント基板あるいはフラットケーブル（以下、ＦＰＣ／ＦＦＣケーブル）を接続するための電気コネクタ（例えばＦＰＣ／ＦＦＣコネクタ）は、ＦＰＣ／ＦＦＣケーブルの挿入方向が薄型実装できるようにプリント基板に対して水平、あるいはＦＰＣ／ＦＦＣケーブル挿抜しやすいように垂直になっており、それぞれ水平方向あるいは垂直方向に挿抜するようになっている。
【０００３】
このように水平に挿抜するＦＰＣ／ＦＦＣコネクタは、挿入口の前に障害物があると挿抜が困難であり、垂直に挿入するＦＰＣ／ＦＦＣコネクタは、ＦＰＣ／ＦＦＣコネクタの高さが高くなるため薄型実装が出来なくなるという課題があった。
近年、特開平８−１３００６８号公報には、ＦＰＣ／ＦＦＣケーブルを斜め方向に挿抜するＦＰＣ／ＦＦＣコネクタの構成が開示されている。
【０００４】
【特許文献１】
特開平８−１３００６８号公報
【０００５】
【発明が解決しようとする課題】
しかしながら、従来の装置では、傾斜角度は固定されており、その傾斜角度や周辺部品の実装状態によっては、水平に挿抜するＦＰＣ／ＦＦＣコネクタと同様に挿入口付近の障害物により挿抜が困難となる場合もあり、また垂直に挿入するＦＰＣ／ＦＦＣコネクタと同様にＦＰＣ／ＦＦＣコネクタの高さが解消されず薄型実装が出来なくなるという本来の問題点が解消されない恐れがある。
【０００６】
本発明は、以上の点に鑑みなされたもので、フレキシブルプリント基板あるいはフラットケーブルの挿抜が容易で、かつ薄型実装が可能な電気コネクタ及びそれを用いた電子機器を提供することを目的とする。
【０００７】
【課題を解決するための手段】
上記目的を達成するために、本発明の電気コネクタは、絶縁性の第１のハウジングと、この第１のハウジングと別体に形成され、外部より接続部品が挿入される挿入部を形成し、前記第１のハウジングに対して前記挿入部が移動可能となるよう取り付けられた絶縁性の第２のハウジングと、前記第１のハウジング内に設けられプリント基板に接続される導電性部材と、前記第２のハウジングの前記挿入部内に設けられ前記導電性部材に電気的に接続される導電性のコンタクト部と、を有することを特徴とする。
【０００８】
上記目的を達成するために、本発明の電子機器は、筐体と、この筐体内部に搭載されたプリント基板と、絶縁性の第１のハウジングと、この第１のハウジングと別体に形成され、外部より接続部品が挿入される挿入部を形成し、前記第１のハウジングに対して前記挿入部が移動可能となるよう取り付けられた絶縁性の第２のハウジングと、前記第１のハウジング内に設けられプリント基板に接続される導電性部材と、前記第２のハウジングの前記挿入部内に設けられ前記導電性部材に電気的に接続される導電性のコンタクト部とを有する電気コネクタと、この電気コネクタの前記挿入部に挿入され前記コンタクトに接続された接続部品を介して前記プリント基板と接続される電子部品と、を有することを特徴とする。
【０００９】
【発明の実施の形態】
以下、本発明に係る実施の形態について図面を参照して詳細に説明する。図１は、本発明の一実施の形態に係る電子機器としてのノート型パーソナルコンピュータＡ（以下ノート型パソコンと称す）の斜視図である。
【００１０】
ノート型パソコンＡの本体１は樹脂製の上ケース２および樹脂製の下ケース３を有している。本体１の上面にはキーボード９が搭載されている。本体１の上面前部（キーボード９の前側）はユーザがキーボード９へのデータ入力の際に掌を置くためのアームレスト７が形成される。
【００１１】
本体１の後部には一対のヒンジ部５ａ、５ｂを介して表示装置４が開位置と閉位置との間を回動自在に接続されている。表示装置４にはデータを表示するためのＬＣＤ６が組み込まれている。
【００１２】
また図１に示すノート型パソコンＡは、キーボード９が取り外された状態となっており、キーボード９の下方位置に内蔵されるプリント基板に、後述する構成の電気コネクタとしてのＦＰＣ（フレキシブルプリント基板）／ＦＦＣ（フレキシブルフラットケーブル）コネクタ１０が取り付けられている。そして、そのＦＰＣ／ＦＦＣコネクタ１０に対して、一般にＦＰＣ、ＦＦＣといわれているフレキシブルプリント基板やフラットケーブル（以下、ＦＰＣ／ＦＦＣケーブルと総称する）１１が挿入されている。
【００１３】
尚、本実施例では電子機器としてノート型パソコンを用いて説明するが、これに限らず、プリント基板と各種電子部品をＦＰＣ／ＦＦＣコネクタ及びＦＰＣ／ＦＦＣケーブルを使用して接続する電子機器全般に使用することが可能である。
【００１４】
図２乃至図４は、電気コネクタとしてのＦＰＣ／ＦＦＣコネクタ１０の構成を示す図である。図２はＦＰＣ／ＦＦＣコネクタ１０の斜視図であり、図３は断面図である。
【００１５】
図２及び図３に示すＦＰＣ／ＦＦＣコネクタ１０は、絶縁性材料からなる第１及び第２のハウジング２１、２２から構成されている。第１のハウジングは、プリント基板１２に接続されるリード２３を保持するリードハウジング２１である。
【００１６】
また、第２のハウジングは、このリード２３とは別部材で構成され、リード２３に接続するよう配置された導電性のコンタクト部２４を保持するコンタクトハウジング２２である。このコンタクトハウジング２２は、コンタクト部２４に接続されるＦＰＣ／ＦＦＣケーブルを挿入するための挿入部２５を有しており、挿入部２５内にコンタクト部２４を配している。
【００１７】
また、コンタクトハウジング２２は、リードハウジング２１の側面部に設けられた凹部２６に対して、コンタクトハウジング２２に設けられた突起部２７が嵌め込まれることにより、リードハウジング２１に接続されている。
【００１８】
そして、コンタクトハウジング２２は、突起部２７を支軸として、挿入部が垂直方向に位置する第１の位置と、挿入部が（垂直方向に位置せず）傾斜状態となる第２の位置との間を、矢印Ａ方向に回動（移動）することができる。
【００１９】
リード２３は、矢印Ｂ方向に変形可能な形状に形成されており、コンタクトハウジング２２及びコンタクト部２４の回動動作に応じて生じる位置変動を矢印Ｂ方向に変形することにより吸収し、コンタクト部２４と常時接続している。
【００２０】
そして、ＦＰＣ／ＦＦＣケーブルを挿抜する場合には、リードハウジング２１に対してコンタクトハウジング２２が図４（ａ）に示す垂直位置にくる第１の位置に配置する。従って、ＦＰＣ／ＦＦＣケーブルを矢印Ｃ方向に挿抜することができ、容易に挿抜が可能となる。
【００２１】
本実施例では、内蔵するプリント基板１２とキーボード９との間は、距離ａとして構成されている。これに対して、図４（ａ）に示す垂直位置のＦＰＣ／ＦＦＣコネクタ１０は、高さｂ（ａ＜ｂ）となる。
【００２２】
ＦＰＣ／ＦＦＣコネクタ１０が垂直位置にある場合、その挿入部２５がキーボード９の取り付け位置よりも高い場所で、かつ垂直方向に挿抜が可能な位置に配されるようになっているため、ＦＰＣ／ＦＦＣケーブルの挿抜が容易に行うことが可能となる。
【００２３】
次に、ＦＰＣ／ＦＦＣケーブルがコンタクトハウジング２２の挿入部２５に装着されると、図４（ｂ）に示すようにコンタクトハウジング２２を矢印Ｄ方向に回動させる。すると、リードハウジング２１に対してコンタクトハウジング２２が傾斜状態となる第２の位置となり、ＦＰＣ／ＦＦＣコネクタ１０の高さを低くすることができる。
【００２４】
そして、図４（ｃ）に示す傾斜位置までコンタクトハウジング２２を傾斜させると、傾斜位置のＦＰＣ／ＦＦＣコネクタ１０は、高さｄ（ｄ＜ａ）となる。従って、ＦＰＣ／ＦＦＣコネクタ１０のコンタクトハウジング２２を回動させて傾斜させることにより、ＦＰＣ／ＦＦＣコネクタ１０の高さがｂ＞ａ＞ｄと低くなるので、薄型実装が可能となり、コネクタが搭載されている電子機器を薄型に形成することが可能となる。
【００２５】
図５は、ＦＰＣ／ＦＦＣコネクタ１０の変形例の構成を示す斜視図である。尚、図２乃至図４に示すＦＰＣ／ＦＦＣコネクタ１０と同様の部分については同じ記号を用い、説明を省略する。
【００２６】
図５に示すＦＰＣ／ＦＦＣコネクタ１０は、コンタクトハウジング２２の側面部に固定部材３１を有している。固定部材３１は、その一方の端部がコンタクトハウジング２２に接着固定されており、他方の端部（自由端）はどこにも固定されずに、凸部材３２が形成されている。
【００２７】
リードハウジング２１には、図５に示すようなＦＰＣ／ＦＦＣコネクタ１０が垂直位置にある時に、固定部材３１の凸部材３２と対向する位置に、凸部材３２が係合する凹部３３が形成されている。
【００２８】
従って、ＦＰＣ／ＦＦＣコネクタ１０のコンタクトハウジング２２が垂直位置である第１の位置にある時、固定部材３２の自由端に形成された凸部材３２が、リードハウジング２１の凹部３３に係合して、垂直位置にコンタクトハウジング２２が固定された状態となる。そのため、ＦＰＣ／ＦＦＣケーブル１１の挿抜がより安定した状態で行うことが可能となる。
【００２９】
また、固定部材３１はバネ性を有し、若干変形可能に形成されている。従って、コンタクトハウジング２２を回動させて傾斜位置に移動させる際には、固定部材３１の自由端に形成された凸部材３２がリードハウジング２１の凹部３３から外れ、コンタクトハウジング２２がスムーズに回動可能となる。
【００３０】
本実施例では、ＦＰＣ／ＦＦＣコネクタ１０において、ＦＰＣ／ＦＦＣケーブルを収容する箇所（コンタクトハウジング２２）と、リードを収容する箇所（リードハウジング２１）とを別体に形成し、リードハウジング２１に対してコンタクトハウジング２２が移動（回動）可能に接続されている。
【００３１】
そして、ＦＰＣ／ＦＦＣコネクタ１０に対して、ＦＰＣ／ＦＦＣケーブルを挿抜する場合には、コンタクトハウジング２２をリードハウジング２１に対して垂直な第１の位置に配置させる。その結果、ＦＰＣ／ＦＦＣコネクタ１０の挿入部２５が高い場所に位置し、垂直方向に挿抜が可能な位置に配されるようになっているため、ＦＰＣ／ＦＦＣケーブルの挿抜が容易に行うことが可能となる。
【００３２】
この際、リードハウジング２１に対して垂直位置である第１の位置のコンタクトハウジング２２が固定部材によって固定されると、より安定した状態で、ＦＰＣ／ＦＦＣケーブル１１の挿抜を行うことが可能となる。
【００３３】
また、キーボード等の他の部品を実装する場合には、コンタクトハウジング２２をリードハウジング２１に対して傾斜状態に配置させることにより、ＦＰＣ／ＦＦＣコネクタ１０の高さを低くすることができるため、薄型実装が可能となり、コネクタが搭載されている電子機器を薄型に形成することが可能となる。
【００３４】
【発明の効果】
以上説明したように、本発明によれば、フレキシブルプリント基板あるいはフラットケーブルの挿抜が容易で、かつ薄型実装ができる。
【図面の簡単な説明】
【図１】本発明の実施形態における電気コネクタが用いられたノート型パーソナルコンピュータＡの外観構成を示す斜視図。
【図２】電気コネクタの第１の実施例を示す斜視図。
【図３】電気コネクタの内部構造を概略的に示す断面図。
【図４】電気コネクタの傾斜状態を説明する図。
【図５】電気コネクタの第２の実施例を示す斜視図。
【符号の説明】
Ａ　　電子機器、ノート型パソコン
１　　電子機器およびノート型パソコンの本体
２、３　　電子機器およびノート型パソコンのケース
４　　表示装置
５ａ、５ｂ　　ヒンジ部
６　　ＬＣＤ
７　　アームレスト
９　　キーボード
１０　　電気コネクタ、ＦＰＣ／ＦＦＣコネクタ
１１　　フレキシブルプリント基板あるいはフラットケーブル、ＦＰＣ／ＦＦＣケーブル
１２　　プリント基板
２１　　第１のハウジング、リードハウジング
２２　　第２のハウジング、コンタクトハウジング
２３　　リード
２４　　コンタクト部
２５　　挿入部
２７　　突起部
３１　　固定部材
３２　　固定部材の凸部材
３３　　リードハウジングの凹部
【図１】
2004146134.tif 000003
【図２】
2004146134.tif 000004
【図３】
2004146134.tif 000005
【図４】
2004146134.tif 000006
【図５】
2004146134.tif 000007